(57)【要約】【課題】印象の異なる画像を作り出す。【解決手段】カラオケ装置は、背景画像データ２３に付与される画像効果と、この画像効果の付与を開始する第１のタイミング及びこの画像効果の付与を終了する第２のタイミングとを特定し、特定された第１のタイミングから第２のタイミングまでの対象期間には、表示部の画面サイズに対応する領域を有し、特定された画像効果について予め設定された半透明な色を示すカラーフィルタデータ１３２を生成し、この対象期間以外の期間には、表示部の画面サイズに対応する領域を有し、透明色を示すカラーフィルタデータ１３２を生成し、背景画像データ２３と、生成されたカラーフィルタデータ１３２とを合成して表示部に出力する。カラオケ装置は、対象期間には、合成される背景画像データ２３の明度、彩度、又はコントラストを、特定された画像効果について予め設定された値に変更する。【選択図】図７
2015194765.tif 000002
【特許請求の範囲】
【請求項１】
表示手段に表示される画像を示す画像データを取得する第１の取得手段と、
前記第１の取得手段により取得された前記画像データに付与される画像効果と、当該画像効果の付与を開始する第１のタイミング及び当該画像効果の付与を終了する第２のタイミングとを特定する特定手段と、
前記特定手段により特定された前記第１のタイミングから前記第２のタイミングまでの対象期間には、前記特定手段により特定された画像効果について予め設定された半透明な色を示すカラーフィルタデータを生成する生成手段と、
前記第１の取得手段により取得された前記画像データと、前記生成手段により生成された前記カラーフィルタデータとを合成して前記表示手段に出力する合成手段と、
前記対象期間には、前記特定された画像効果について予め設定された値に変更する変更手段と、
を備えることを特徴とする画像処理装置。
【請求項２】
前記カラーフィルタデータの一部を部分カラーフィルタデータとして取得する第２の取得手段を備え、
前記生成手段は、前記第２の取得手段により取得された部分カラーフィルタデータが示す色を前記予め設定された半透明な色に変更し、前記対象期間には、当該半透明な色を示す部分カラーフィルタデータから前記半透明な色を示すカラーフィルタデータを生成する
ことを特徴とする請求項１に記載の画像処理装置。
【請求項３】
前記生成手段は、前記対象期間には、前記半透明な色を示す部分カラーフィルタデータを拡大することにより、前記半透明な色を示すカラーフィルタデータを生成する
ことを特徴とする請求項２に記載の画像処理装置。
【請求項４】
前記変更手段は、前記合成手段により合成される画像データの明度、彩度、又はコントラストを前記特定された画像効果について予め設定された値に変更する
ことを特徴とする請求項１から３のいずれか１項に記載の画像処理装置。
【請求項５】
請求項１から請求項４記載の画像処理装置と、
楽曲を示す楽曲データまたは当該楽曲の歌詞を示す歌詞データを取得する第３の取得手段と、を備え、
前記画像処理装置の前記特定手段は、前記楽曲データまたは前記歌詞データに基づいて、前記第１のタイミングまたは前記第２のタイミングを特定する
ことを特徴とするカラオケ装置。
【発明の詳細な説明】
【技術分野】
【０００１】
本発明は、画像に画像効果を施す技術に関する。
【背景技術】
【０００２】
複数の画像を重ねて表示する技術が知られている。例えば、特許文献１には、拡大画像を表示するときに、拡大画像に対し、拡大画像の半透明の画像をずらして重ねる技術が開示されている。
【先行技術文献】
【特許文献】
【０００３】
【特許文献１】特開２００９−１３９８４７号公報
【発明の概要】
【発明が解決しようとする課題】
【０００４】
ところで、カラオケ装置では、歌詞を表示する画面に背景画像が表示される。この背景画像には、楽曲の雰囲気に合わせた様々なシーンの画像が含まれる。しかしながら、これらの画像はそれぞれ１つのシーンでしか使えないため、限られた背景画像しか作り出すことができない。
本発明は、印象の異なる画像を作り出すことを目的とする。
【課題を解決するための手段】
【０００５】
本発明は、表示手段に表示される画像を示す画像データを記憶する第１の記憶手段と、前記第１の記憶手段に記憶された前記画像データに付与される画像効果と、当該画像効果の付与を開始する第１のタイミング及び当該画像効果の付与を終了する第２のタイミングとを特定する特定手段と、前記特定手段により特定された前記第１のタイミングから前記第２のタイミングまでの対象期間には、前記表示手段の画面サイズに対応する領域を有し、前記特定手段により特定された画像効果について予め設定された半透明な色を示すカラーフィルタデータを生成し、前記対象期間以外の期間には、前記表示手段の画面サイズに対応する領域を有し、透明色を示すカラーフィルタデータを生成する生成手段と、前記第１の記憶手段に記憶された前記画像データと、前記生成手段により生成された前記カラーフィルタデータとを合成して前記表示手段に出力する合成手段と、前記対象期間には、前記合成手段により合成される画像データの明度、彩度、又はコントラストを、前記特定された画像効果について予め設定された値に変更する変更手段とを備えることを特徴とする画像処理装置を提供する。
【０００６】
前記画像処理装置は、前記カラーフィルタデータの一部を部分カラーフィルタデータとして記憶する第２の記憶手段を備え、前記生成手段は、前記第２の記憶手段に記憶された部分カラーフィルタデータが示す色を透明色に設定し、前記対象期間以外の期間には、当該透明色を示す部分カラーフィルタデータから前記透明色を示すカラーフィルタデータを生成し、前記特定された第１のタイミングに合わせて、前記第２の記憶手段に記憶された部分カラーフィルタデータが示す色を前記予め設定された半透明な色に変更し、前記対象期間には、当該半透明な色を示す部分カラーフィルタデータから前記半透明な色を示すカラーフィルタデータを生成してもよい。
【０００７】
本発明は、楽曲を示す楽曲データと、楽曲の歌詞を示す歌詞データと、表示手段に表示される画像を示す画像データとを記憶する記憶手段と、前記記憶手段に記憶された前記楽曲データを再生する再生手段と、前記記憶手段に記憶された前記画像データに付与される画像効果と、当該画像効果の付与を開始する第１のタイミング及び当該画像効果の付与を終了する第２のタイミングとを特定する特定手段と、前記特定手段により特定された前記第１のタイミングから前記第２のタイミングまでの対象期間には、前記表示手段の画面サイズに対応する領域を有し、前記特定手段により特定された画像効果について予め設定された半透明な色を示すカラーフィルタデータを生成し、前記対象期間以外の期間には、前記表示手段の画面サイズに対応する領域を有し、透明色を示すカラーフィルタデータを生成する生成手段と、前記記憶手段に記憶された前記画像データと、前記生成手段により生成された前記カラーフィルタデータと、前記記憶手段に記憶された歌詞データとを合成して前記表示手段に出力する合成手段と、前記対象期間には、前記合成手段により合成される画像データの明度、彩度、又はコントラストを、前記特定された画像効果について予め設定された値に変更する変更手段とを備えることを特徴とするカラオケ装置を提供する。
【発明の効果】
【０００８】
本発明によれば、印象の異なる画像を作り出すことができる。
【図面の簡単な説明】
【０００９】
【図１】カラオケシステムの構成を示す図である。
【図２】背景画像データの一例を示す図である。
【図３】画像効果テーブルを示す図である。
【図４】映像処理部の構成を示す図である。
【図５】カラーフィルタ生成部が行う処理を説明する図である。
【図６】歌詞テロップの一例を示す図である。
【図７】合成部が行う処理を説明する図である。
【図８】表示部に表示されるカラオケ画像を示す図である。
【図９】表示部に表示されるカラオケ画像を示す図である。
【図１０】変形例に係る対応テーブルの一例を示す図である。
【図１１】変形例に係る楽曲データの一例を示す図である。
【図１２】変形例に係る画像データの一例を示す図である。
【図１３】変形例に係るカラーフィルタ生成部が行う処理を説明する図である。
【発明を実施するための形態】
【００１０】
［構成］
図１は、本実施形態に係るカラオケシステム１の構成を示す図である。カラオケシステム１は、マイクロフォン２と、スピーカ３と、表示部４と、カラオケ装置５とを備える。マイクロフォン２は、音声を収音して音声信号をカラオケ装置５に供給する。スピーカ３は、カラオケ装置５から供給される音声信号に応じた音を放射する。表示部４（表示手段の一例）は、カラオケ装置５から供給される画像データに応じた画像を表示する。
【００１１】
カラオケ装置５は、制御部１１と、記憶部１２と、操作部１３と、音源部１４と、音声処理部１５と、映像処理部１６とを備える。制御部１１は、ＣＰＵ（Central Processing Unit）とメモリとを有し、ＣＰＵがメモリに記憶されているプログラムを実行することにより、カラオケ装置５の各部を制御する。記憶部１２は、例えばハードディスクを有し、ＣＰＵにより実行されるプログラムを記憶する。また、記憶部１２（第１の記憶手段の一例）は、楽曲データ２１と、歌詞データ２２と、背景画像データ２３とを記憶する。楽曲データ２１は、楽曲の伴奏やメロディーラインを示すデータである。楽曲データ２１は、例えばＭＩＤＩ（Musical Instrument Digital Interface）形式で記述されている。歌詞データ２２は、楽曲の歌詞を示すデータである。歌詞データ２２には、表示部４に表示される歌詞テロップの色を変えるタイミングを示す情報が付加されている。背景画像データ２３は、楽曲に対応する背景画像を示すデータである。背景画像データ２３には、この背景画像データ２３に付与される画像効果の画像効果名と、画像効果の付与を開始するタイミングを示す開始タイミング情報と、画像効果の付与を終了するタイミングを示す終了タイミング情報とが含まれる。
【００１２】
図２は、背景画像データ２３の一例を示す図である。この背景画像データ２３は、５分間の動画像を示す。背景画像データ２３には、画像効果名「夕方」と、開始タイミング情報「０２：３０」と、終了タイミング情報「０３：００」とが付加されている。これは、「０２：３０」から「０３：００」までの期間Ｔ２には、背景画像データ２３に「夕方」の画像効果が施されることを示す。なお、この背景画像データ２３では、再生開始直後に表示される画像と、「０２：３０」に表示される画像とで、同一の画像素材が用いられている。
【００１３】
記憶部１２は、さらに画像効果テーブル２４を記憶する。図３は、画像効果テーブル２４を示す図である。この画像効果テーブル２４には、複数の「画像効果名」が記述されており、各「画像効果名」には、「カラーフィルタの色」と、「明度」と、「彩度」と、「コントラスト」とが対応付けられている。「カラーフィルタの色」は、画像効果が施されるときに用いられるカラーフィルタデータ１３２の色を示す。「明度」は、背景画像データ２３の色の明暗の度合いを示す。「彩度」は、背景画像データ２３の色の鮮やかさの度合いを示す。「コントラスト」は、背景画像データ２３の最も暗い部分と最も明るい部分の輝度の差を示す。例えば、画像効果名「朝方」には、カラーフィルタの色「半透明の水色」と、明度「Ｌ１」と、彩度「Ｓ１」と、コントラスト「Ｃ１」とが対応付けられている。これは、「朝方」の画像効果を施す場合には、カラーフィルタデータ１３２の色が「半透明の水色」に変更され、背景画像データ２３の明度が「Ｌ１」、彩度が「Ｓ１」、コントラストが「Ｃ１」に変更されることを示す。
【００１４】
図１において、操作部１３は、例えば複数のボタンを有し、利用者の操作に対応する操作信号を制御部１１に供給する。音源部１４（再生手段の一例）は、記憶部１２に記憶されている楽曲データ２１を再生して音声信号を生成する。音声処理部１５は、マイクロフォン２から供給される音声信号と、音源部１４により生成される音声信号とを混合し、混合された音声信号を増幅してスピーカ３に供給する。また、音声処理部１５は、マイクロフォン２から供給される音声信号に対し、エコーなどの音声効果を施す。
【００１５】
次に、映像処理部１６の構成について説明する。図４は、映像処理部１６の構成を示す図である。映像処理部１６は、調整部６１と、歌詞テロップ生成部６２と、カラーフィルタ生成部６３と、合成部６４とを備える。調整部６１は、背景画像データ２３の明度、彩度、コントラストを変更する。歌詞テロップ生成部６２は、テロッププレーン１２０を有する。テロッププレーン１２０は、例えばＶＲＡＭ（Video RAM）であり、１画面分の歌詞テロップ１２１を記憶する。歌詞テロップ生成部６２は、制御部１１から供給される歌詞データ２２に基づいて、１画面分の歌詞テロップ１２１を生成し、テロッププレーン１２０に記憶させる。
【００１６】
カラーフィルタ生成部６３は、カラーフィルタプレーン１３０（第２の記憶手段の一例）を有する。カラーフィルタプレーン１３０は、例えばＶＲＡＭであり、１×１ピクセルの領域を有する部分カラーフィルタデータ１３１を記憶する。カラーフィルタ生成部６３は、カラーフィルタプレーン１３０に記憶された部分カラーフィルタデータ１３１からカラーフィルタデータ１３２を生成する。このカラーフィルタデータ１３２は、表示部４の画面全体に対応する領域を有し、背景画像データ２３の色を変えるために用いられる。
【００１７】
図５は、カラーフィルタ生成部６３が行う処理を説明する図である。カラーフィルタ生成部６３は、カラーフィルタプレーン１３０に記憶された部分カラーフィルタデータ１３１を、カラーフィルタパレット６５に設定された色のいずれかで塗りつぶす。カラーフィルタパレット６５には、αＲＧＢで表現される最大２５５パターンの色が設定されている。なお、αＲＧＢで表現される色には、透明度が含まれる。例えば、透明色が設定された場合、部分カラーフィルタデータ１３１は、完全透明を示すα値を有する。一方、半透明なオレンジ色が設定された場合、部分カラーフィルタデータ１３１は、オレンジ色を示すＲ、Ｇ、Ｂの値と、半透明を示すα値とを有する。カラーフィルタ生成部６３は、カラーフィルタプレーン１３０に記憶された部分カラーフィルタデータ１３１を拡大して、表示部４の画面全体に対応する領域を有するカラーフィルタデータ１３２を生成する。例えば、表示部４の画面サイズが１９２０×１０８０ピクセルである場合には、１９２０×１０８０ピクセルの領域を有するカラーフィルタデータ１３２が生成される。
【００１８】
合成部６４（合成手段の一例）は、背景画像データ２３と、歌詞テロップ１２１と、カラーフィルタデータ１３２とを合成して、カラオケ画像データを生成する。具体的には、合成部６４は、背景画像データ２３の上にカラーフィルタデータ１３２を重ね、カラーフィルタデータ１３２の上に歌詞テロップ１２１を重ねてα合成する。合成部６４は、生成したカラオケ画像データを表示部４に供給する。
【００１９】
［動作］
利用者は、操作部１３を用いて、複数の楽曲の中から所望の楽曲を選択する操作を行う。この操作が行われると、カラオケ装置５は、選択された楽曲を再生するとともに、この楽曲に対応するカラオケ画像を再生する。具体的には、制御部１１は、選択された楽曲を示す楽曲データ２１を記憶部１２から読み出し、音源部１４に供給する。音源部１４は、制御部１１から供給された楽曲データ２１を再生し、音声信号を音声処理部１５に供給する。音声処理部１５は、音源部１４から供給された音声信号を増幅してスピーカ３に供給する。これにより、利用者により選択された楽曲がスピーカ３から放音される。また、利用者がマイクロフォン２を持って歌い始めると、マイクロフォン２は利用者の歌声を示す音声信号を音声処理部１５に供給する。この場合、音声処理部１５は、マイクロフォン２から供給された音声信号にエコーなどの音声効果を施した後、マイクロフォン２から供給された音声信号と音源部１４から供給された音声信号とを混合し、混合した音声信号を増幅してスピーカ３に供給する。これにより、利用者により選択された楽曲と合わせて利用者の歌声がスピーカ３から放音される。
【００２０】
また、制御部１１は、選択された楽曲に対応する歌詞データ２２及び背景画像データ２３を記憶部１２から読み出し、映像処理部１６に供給する。ここでは、図２に示す背景画像データ２３が映像処理部１６に供給される場合を想定する。また、制御部１１（特定手段の一例）は、この背景画像データ２３に付加された画像効果名、開始タイミング情報、終了タイミング情報に基づき、この背景画像データ２３に付与される画像効果と、この画像効果の付与を開始するタイミング及びこの画像効果の付与を終了するタイミングとを特定する。図２に示す背景画像データ２３には、画像効果名「夕方」と、開始タイミング情報「０２：３０」と、終了タイミング情報「０３：００」とが付加されている。この場合、制御部１１は、この背景画像データ２３に付与される画像効果として「夕方」の画像効果を特定し、この画像効果の付与を開始するタイミングとして「０２：３０」、この画像効果の付与を終了するタイミングとして「０３：００」を特定する。そして、制御部１１は、映像処理部１６に対し、「０２：３０」から「０３：００」までの期間Ｔ２（対象期間の一例）、背景画像データ２３に「夕方」の画像効果を付与するよう指示する。
【００２１】
この場合、映像処理部１６は以下の処理を行う。歌詞テロップ生成部６２は、制御部１１から供給された歌詞データ２２に基づいて、１画面分の歌詞テロップ１２１を生成し、テロッププレーン１２０に記憶させる。図６は、このときに生成される歌詞テロップ１２１を示す図である。この歌詞テロップ１２１には、「あいうえお」という歌詞が含まれる。また、歌詞テロップ生成部６２は、楽曲の進行に合わせて歌詞の色が変わるように、歌詞テロップ１２１の色を変える。テロッププレーン１２０に記憶された歌詞テロップ１２１は、合成部６４に供給される。
【００２２】
調整部６１は、画像効果を付与しない期間、すなわち期間Ｔ１及び期間Ｔ３には、制御部１１から供給された背景画像データ２３を、明度、彩度及びコントラストを調整せずにそのまま合成部６４に供給する。一方、調整部６１（変更手段の一例）は、画像効果を付与する期間、すなわち期間Ｔ２には、制御部１１から供給された背景画像データ２３を、明度、彩度、コントラストを調整してから合成部６４に供給する。このとき、調整部６１は、制御部１１から供給された背景画像データ２３の明度、彩度、コントラストを、図３に示す画像効果テーブル２４において、背景画像データ２３に付加された画像効果名「夕方」と対応付けられた値、すなわち明度「Ｌ２」、彩度「Ｓ２」、コントラスト「Ｃ２」に変更する。なお、彩度「Ｓ２」は、元の背景画像データ２３の彩度よりも低い。そのため、合成部６４に供給される背景画像データ２３は、色あせたような色合いを有する。
【００２３】
カラーフィルタ生成部６３（生成手段の一例）は、カラーフィルタプレーン１３０に記憶された部分カラーフィルタデータ１３１の色を透明色に設定しておく。カラーフィルタ生成部６３は、画像効果を付与しない期間、すなわち期間Ｔ１及び期間Ｔ３には、カラーフィルタプレーン１３０に記憶された部分カラーフィルタデータ１３１を拡大して、表示部４の画面全体に対応する領域を有し、透明色を示すカラーフィルタデータ１３２を生成する。一方、カラーフィルタ生成部６３は、画像効果の付与を開始するタイミング、すなわち「０２：３０」に合わせて、カラーフィルタプレーン１３０に記憶された部分カラーフィルタデータ１３１の色を変更する。このとき、カラーフィルタ生成部６３は、部分カラーフィルタデータ１３１の色を、図３に示す画像効果テーブル２４において、画像効果名「夕方」と対応付けられたカラーフィルタの色である「半透明のオレンジ色」に変更する。そして、カラーフィルタ生成部６３は、画像効果を付与する期間、すなわち期間Ｔ２には、カラーフィルタプレーン１３０に記憶された半透明のオレンジ色の部分カラーフィルタデータ１３１を拡大して、表示部４の画面全体に対応する領域を有し、半透明のオレンジ色を示すカラーフィルタデータ１３２を生成する。カラーフィルタ生成部６３により生成されたカラーフィルタデータ１３２は、合成部６４に供給される。
【００２４】
合成部６４は、調整部６１から供給された背景画像データ２３と、テロッププレーン１２０から供給された歌詞テロップ１２１と、カラーフィルタ生成部６３から供給されたカラーフィルタデータ１３２とを合成して、カラオケ画像データを生成する。図７は、合成部６４が行う処理を説明する図である。合成部６４は、背景画像データ２３の上にカラーフィルタデータ１３２を重ね、カラーフィルタデータ１３２の上に歌詞テロップ１２１を重ねてα合成する。ただし、上述したように、画像効果が付与されない期間においては、カラーフィルタデータ１３２が示す色は透明色である。よって、この場合には、カラーフィルタデータ１３２は、背景画像データ２３が示す色には影響を及ぼさない。
【００２５】
合成部６４により生成されたカラオケ画像データは、表示部４に供給される。表示部４は、合成部６４から供給されたカラオケ画像データに応じたカラオケ画像を表示する。図８は、再生開始直後に表示されるカラオケ画像４１を示す図である。上述したように、「０：００」から「０２：３０」までの期間Ｔ１においては、背景画像データ２３の上に透明色のカラーフィルタデータ１３２が重ねられる。したがって、カラオケ画像４１は、単に背景画像データ２３が示す背景画像の上に、歌詞テロップ１２１を重ねたものになる。例えば、背景画像が昼のシーンを示すものである場合には、昼のシーンを示す背景画像が表示される。一方、図９は、「０２：３０」に表示されるカラオケ画像４２を示す図である。上述したように、「０２：３０」から「０３：００」までの期間Ｔ２においては、色あせた色合いになるように明度、彩度、コントラストが調整された背景画像データ２３の上に、半透明なオレンジ色を示すカラーフィルタデータ１３２が重ねられる。したがって、カラオケ画像４２は、夕方のシーンを示すような、薄くオレンジ色がかった背景画像の上に、歌詞テロップ１２１を重ねたものになる。つまり、期間Ｔ２には、夕方のシーンを示す背景画像が表示されることになる。
【００２６】
本実施形態によれば、１つの画像素材から、「朝方」、「夕方」、「夜」等の複数のシーンの画像を作り出すことができる。そのため、例えば１つの画像素材について、予め複数のシーンを撮影しておく必要がない。また、カラオケ装置５において、これらの複数のシーンの画像素材を格納するための記憶領域を設ける必要もない。また、本実施形態によれば、映像処理部１６が、色相を調整する機能を有していなくても、「朝方」、「夕方」、「夜」等のシーンに合わせて、色調の異なる画像を作り出すことができる。
【００２７】
また、上述した実施形態では、カラーフィルタ生成部６３は、カラーフィルタプレーン１３０に記憶されている部分カラーフィルタデータ１３１を拡大してカラーフィルタデータ１３２を生成している。この構成によれば、１×１ピクセルの領域を有する部分カラーフィルタデータ１３１を塗りつぶすだけで、カラーフィルタデータ１３２全体の色を変えることができる。したがって、部分カラーフィルタデータ１３１を用いずに、カラーフィルタデータ１３２全体の色を直接塗り変える構成に比べて、カラーフィルタデータ１３２の色の変換にかかる時間を短くすることができる。本実施形態では、画像効果が施された背景画像データ２３を予め用意しておくのではなく、これを動的に生成している。そのため、このように短時間でカラーフィルタデータ１３２の色を変換することが要求されるのである。
【００２８】
［変形例］
本発明は、上述した実施形態に限定されるものではなく、種々の態様で実施可能である。例えば、実施形態を以下のように変形してもよい。また、以下の変形例を組み合わせてもよい。
（変形例１）
背景画像データ２３に施される画像効果及びこの画像効果を付与する期間は、楽曲の構成に基づいて特定されてもよい。一般的に、楽曲は、「Ａメロ」、「Ｂメロ」、「サビ」、「間奏」等の複数のメロディーパートで構成される。そこで、特定のメロディーパートが再生される期間には、そのメロディーパートに対応する画像効果が付与されるようにしてもよい。この場合、記憶部１２は、楽曲を構成する「メロディーパート」を示す情報と、「画像効果名」とが対応付けられた対応テーブル２５を記憶する。図１０は、対応テーブル２５の一例を示す図である。例えば、対応テーブル２５では、メロディーパート「イントロ」と、画像効果名「朝方」とが対応付けられている。これは、「イントロ」が開始するタイミングから終了するタイミングまでの期間には、「朝方」の画像効果が付与されることを示している。
【００２９】
ここでは、図１１に示すように、利用者により選択された楽曲が、「Ａメロ」、「Ｂメロ」、「サビ１」、「間奏」、「サビ２」というメロディーパートで構成されている場合を想定する。この楽曲には、図１０に示す対応テーブル２５に記述された「間奏」というメロディーパートが含まれている。また、対応テーブル２５では、この「間奏」というメロディーパートと、画像効果名「夜」とが対応付けられている。この場合、制御部１１は、背景画像データ２３に付与される画像効果として「夜」の画像効果を特定し、この画像効果の付与を開始するタイミングとして「間奏」が開始するタイミングである「０３：３０」、この画像効果の付与を終了するタイミングとして「間奏」が終了するタイミングである「０４：００」を特定する。そして、制御部１１は、映像処理部１６に対し、「０３：３０」から「０４：４０」の期間、背景画像データ２３に「夜」の画像効果を付与するよう指示する。
【００３０】
この場合、調整部６１は、「０３：３０」から「０４：００」までの期間、制御部１１から供給された背景画像データ２３の明度、彩度、コントラストを、図３に示す画像効果テーブル２４において、画像効果名「夜」と対応付けられた明度「Ｌ３」、彩度「Ｓ３」、コントラスト「Ｃ３」に変更する。また、カラーフィルタ生成部６３は、「０３：３０」が示すタイミングになると、部分カラーフィルタデータ１３１の色を、図３に示す画像効果テーブル２４において、画像効果名「夜」と対応付けられたカラーフィルタの色である「半透明の紺色」に変更する。そして、カラーフィルタ生成部６３は、「０３：３０」から「０４：００」までの期間、カラーフィルタプレーン１３０に記憶された半透明の紺色を示す部分カラーフィルタデータ１３１を拡大して、表示部４の画面全体に対応する領域を有する半透明の紺色を示すカラーフィルタデータ１３２を生成する。
【００３１】
この構成によれば、記憶部１２に記憶されている全ての背景画像データ２３について、対応テーブル２５に記述されたメロディーパートが再生される期間には、そのメロディーパートに対応する画像効果が施される。したがって、各々の背景画像データ２３に対し、画像効果情報やタイミング情報が付加されていなくても、画像効果を施すことができる。
【００３２】
（変形例２）
画像効果を付与する期間は、背景画像データ２３のコンテンツに基づいて特定されてもよい。例えば、特定の種別の画像が再生される期間には、予め決められた画像効果が付与されてもよい。また、背景画像データ２３において、同一の画像素材が複数箇所で用いられている場合には、後の画像素材が再生される期間に、予め決められた画像効果が付与されてもよい。
【００３３】
（変形例３）
背景画像データ２３に施される画像効果は、実施形態で説明したものに限らない。例えば、画像効果を施すときに、半透明な白色のカラーフィルタデータ１３２が用いられてもよい。半透明な白色のカラーフィルタデータ１３２を用いた場合には、例えば回想シーンの画像や、フェードイン又はフェードアウトをするときの画像などを作りだすことができる。また、１つの背景画像データ２３に対して、複数の画像効果が付与されてもよい。また、背景画像データ２３に付与される画像効果は、予め決められた複数の画像効果の中から順番に又はランダムに決められてもよい。
【００３４】
（変形例４）
映像処理部１６の構成及び処理は、実施形態で説明したものに限らない。例えば、映像処理部１６が、制御部１１の処理の一部を行ってもよい。また、映像処理部１６は、画像効果テーブル２４を記憶してもよい。調整部６１は、背景画像データ２３の明度、彩度、コントラストの値を全て変更する必要はない。調整部６１は、背景画像データ２３の明度、彩度、及びコントラストの少なくとも１つの値を変更すればよい。部分カラーフィルタデータの領域は、１×１ピクセルに限らない。部分カラーフィルタデータは、１×１ピクセルよりも大きい領域を有していてもよい。カラーフィルタデータ１３２は、表示部４の画面全体に対応する領域よりも小さい領域を有していてもよい。これにより、端の部分だけカラーフィルタデータ１３２が示す色の影響を受けない背景画像を作り出すことができる。
【００３５】
（変形例５）
部分カラーフィルタデータ１３１及びカラーフィルタデータ１３２は、透明度を示すα値を有していなくてもよい。この場合、合成部６４は、画像効果を施す期間には、カラーフィルタデータ１３２の示す色が半透明になるように、背景画像データ２３とカラーフィルタデータ１３２とを合成する。例えば、合成部６４は、背景画像データ２３が示す色とカラーフィルタデータ１３２が示す色とを予め決められた割合で混ぜ合わせることにより、このような合成を実現する。
【００３６】
（変形例６）
本発明は、カラオケ装置５以外の装置に適用されてもよい。本発明が適用される装置としては、例えばゲーム機やデジタルフォトフレームが考えられる。デジタルフォトフレームは、複数の写真画像を示す画像データを記憶し、複数の写真画像を順に表示する。利用者は、デジタルフォトフレームを操作して、画像効果を選択し、この画像効果を施す写真画像を指定することができる。ここでは、図１２に示すように、「セピア」の画像効果が選択され、この画像効果を施す写真画像として、「２枚目」の写真画像が指定された場合を想定する。この場合、デジタルフォトフレームは、「２枚目」の写真画像が再生される期間、すなわち「００：３０」から「０１：００」までの期間には、画像データに「セピア」の画像効果を付与する。この構成によれば、利用者は、元の写真画像とは異なる印象の写真画像を楽しむことができる。また、デジタルフォトフレームは、画像効果を付与するときに、予め決められた時間は原の写真画像を表示し、この時間が経過したタイミングに合わせて、画像効果を付与してもよい。
また、カラオケ装置５が備える制御部１１と、記憶部１２と、映像処理部１６とが、画像処理装置として提供されてもよい。
【００３７】
（変形例７）
カラーフィルタ生成部６３は、以下の方法でカラーフィルタデータ１３２を生成してもよい。例えば、カラーフィルタプレーン１３０は、部分カラーフィルタデータ１３１に代えて、表示部４の画面全体に対応する領域を有するカラーフィルタデータ１３２を記憶してもよい。この場合、カラーフィルタ生成部６３は、カラーフィルタプレーン１３０に記憶されたカラーフィルタデータ１３２を予め透明色に塗っておく。また、カラーフィルタデータ１３２の色を変更する場合、カラーフィルタ生成部６３は、カラーフィルタプレーン１３０に記憶されたカラーフィルタデータ１３２を変更する色に塗り替える。この構成によれば、カラーフィルタ生成部６３は、部分カラーフィルタデータ１３１を拡大する処理を行う必要がない。また、カラーフィルタデータ１３２の色数が制限されない。さらに、カラーフィルタ生成部６３は、例えばグラデーションを用いた色など、複数の色を示すカラーフィルタデータ１３２を作成することができる。
【００３８】
部分カラーフィルタデータ１３１は、カラーフィルタパレット６５の特定の領域に書き込まれた色情報が示す色で塗りつぶされてもよい。なお、カラーフィルタパレット６５は、例えばカラーフィルタ生成部６３が備えるメモリに記憶されている。この場合、カラーフィルタ生成部６３は、予め透明色を示す色情報をカラーフィルタパレット６５の特定の領域に書き込んでおく。また、カラーフィルタデータ１３２の色を変更する場合、カラーフィルタ生成部６３は、変更する色を示す色情報をカラーフィルタパレット６５の特定の領域に書き込む。この構成によれば、カラーフィルタデータ１３２の色数が制限されない。
【００３９】
部分カラーフィルタデータ１３１は、カラーフィルタデータ１３２を生成する度に生成されてもよい。図１３は、この場合にカラーフィルタ生成部６３が行う処理を説明する図である。カラーフィルタプレーン１３０は、部分カラーフィルタデータ１３１に代えて、複数の領域３３に各々異なる色が塗られたカラーフィルタデータ１３３を記憶する。このカラーフィルタデータ１３３は、任意の大きさの領域を有する。この場合、カラーフィルタ生成部６３は、予め、切り出し用ウィンドウが示す切り出し範囲を透明色の領域３３に設定しておく。そして、カラーフィルタ生成部６３は、この透明色の領域３３をカラーフィルタデータ１３３から切り出し、透明色を示す部分カラーフィルタデータ１３１を生成し、これを拡大してカラーフィルタデータ１３２を生成する。また、カラーフィルタデータ１３２の色を変更する場合、カラーフィルタ生成部６３は、切り出し用ウィンドウが示す切り出し範囲を、変更する色の領域３３に移動させる。そして、カラーフィルタ生成部６３は、この変更する色の領域３３をカラーフィルタデータ１３３から切り出し、変更する色を示す部分カラーフィルタデータ１３１を生成し、これを拡大してカラーフィルタデータ１３２を生成する。この構成によれば、カラーフィルタデータ１３２の色数が実質的に制限されない。
【００４０】
（変形例８）
映像処理部１６が行う処理は、ＣＰＵがプログラムを実行することにより実現されてもよい。また、ＣＰＵによって実行されるプログラムは、磁気記録媒体（磁気テープ、磁気ディスクなど）、光記録媒体（光ディスクなど）、光磁気記録媒体、半導体メモリなどのコンピュータ読み取り可能な記録媒体に記憶された状態で提供されてもよい。また、このプログラムは、インターネットなどの通信回線経由でダウンロードされてもよい。
【符号の説明】
【００４１】
１…カラオケシステム、２…マイクロフォン、３…スピーカ、４…表示部、５…カラオケ装置、１１…制御部、１２…記憶部、１３…操作部、１４…音源部、１５…音声処理部、１６…映像処理部、６１…調整部、６２…歌詞テロップ生成部、６３…カラーフィルタ生成部、６４…合成部、１２０…テロッププレーン、１３０…カラーフィルタプレーン
【図１】
2015194765.tif 000003
【図２】
2015194765.tif 000004
【図３】
2015194765.tif 000005
【図４】
2015194765.tif 000006
【図５】
2015194765.tif 000007
【図６】
2015194765.tif 000008
【図７】
2015194765.tif 000009
【図８】
2015194765.tif 000010
【図９】
2015194765.tif 000011
【図１０】
2015194765.tif 000012
【図１１】
2015194765.tif 000013
【図１２】
2015194765.tif 000014
【図１３】
2015194765.tif 000015